(57)【要約】【課題】どちら側のセパレータからでも、容易に剥がすことができる両面粘着テープを提供する。【解決手段】両面粘着テープは、長尺の基材１０と、基材の第１の面に積層された第１の粘着層１１及び第１のセパレータ１２と、基材の第２の面に積層された第２の粘着層１３及び第２のセパレータ１４とを備え、第１のセパレータの第１の粘着層に対する離型力は、第２のセパレータの第２の粘着層に対する離型力よりも小さく、第１のセパレータは、第１の粘着層に対して、幅方向に突出した第１の突出部１２ａを有し、第２のセパレータは、第２の粘着層に対して、幅方向に突出した第２の突出部１４ａを有し、第２の突出部には、長手方向に沿って、幅方向の易切断性を付与した易切断部２０が形成されている。【選択図】図１
2019031588.tif 000002
【特許請求の範囲】
【請求項１】
ウェブ材を巻芯に巻き取る際に使用するウェブ材固定用の両面粘着テープであって、
長尺の基材と、
前記基材の第１の面に積層された第１の粘着層及び第１のセパレータと、
前記基材の第２の面に積層された第２の粘着層及び第２のセパレータと
を備え、
前記第１のセパレータの前記第１の粘着層に対する離型力は、前記第２のセパレータの前記第２の粘着層に対する離型力よりも小さく、
前記第１のセパレータは、前記第１の粘着層に対して、幅方向に突出した第１の突出部を有し、
前記第２のセパレータは、前記第２の粘着層に対して、幅方向に突出した第２の突出部を有し、
前記第２の突出部には、長手方向に沿って、幅方向の易切断性を付与した易切断部が形成されている、ウェブ材固定用両面粘着テープ。
【請求項２】
前記第１の粘着層の粘着力は、前記第２の粘着層の粘着力よりも小さい、請求項１に記載のウェブ材固定用両面粘着テープ。
【請求項３】
ウェブ材を巻芯に巻き取る際に使用するウェブ材固定用の両面粘着テープであって、
長尺の基材と、
前記基材の第１の面に積層された第１の粘着層及び第１のセパレータと、
前記基材の第２の面に積層された第２の粘着層及び第２のセパレータと
を備え、
前記第１の粘着層の粘着力は、前記第２の粘着層の粘着力よりも小さく、
前記第１のセパレータは、前記第１の粘着層に対して、幅方向に突出した第１の突出部を有し、
前記第２のセパレータは、前記第２の粘着層に対して、幅方向に突出した第２の突出部を有し、
前記第２の突出部には、長手方向に沿って、幅方向の易切断性を付与した易切断部が形成されている、ウェブ材固定用両面粘着テープ。
【請求項４】
前記第１のセパレータの前記第１の粘着層に対する離型力と、前記第２のセパレータの前記第２の粘着層に対する離型力とは同じである、請求項３に記載のウェブ材固定用両面粘着テープ。
【請求項５】
前記易切断部は、厚み方向に形成された複数の微細な溝又は貫通孔により構成されている、請求項１〜４の何れかに記載のウェブ材固定用両面粘着テープ。
【請求項６】
両面の各粘着層にセパレータが設けられた両面粘着テープであって、
長尺の基材と、
前記基材の第１の面に積層された第１の粘着層及び第１のセパレータと、
前記基材の第２の面に積層された第２の粘着層及び第２のセパレータと
を備え、
前記第１のセパレータの前記第１の粘着層に対する離型力は、前記第２のセパレータの前記第２の粘着層に対する離型力よりも小さく、
前記第１のセパレータは、前記第１の粘着層に対して、幅方向に突出した第１の突出部を有し、
前記第２のセパレータは、前記第２の粘着層に対して、幅方向に突出した第２の突出部を有し、
前記第２の突出部には、長手方向に沿って、幅方向の易切断性を付与した易切断部が形成されている、両面セパレータ付き両面粘着テープ。
【発明の詳細な説明】
【技術分野】
【０００１】
本発明は、ウェブ材を巻芯に巻き取る際に使用するウェブ材固定用の両面粘着テープ、及び両面セパレータ付き粘着テープに関する。
【背景技術】
【０００２】
フィルムやシート等のウェブ材をロール状に巻き取るには、円筒状の巻芯の外周面にウェブ材の先端を両面粘着テープで固定した後、巻芯を回転させて巻き取る方法が一般に用いられている。
【０００３】
ところで、巻芯の表面は、一般に硬いために、可塑性を有するウェブ材をロール状に巻き取る場合、巻芯の外周面と、ウェブ材の巻き付け端部との間に段差が生じ、この段差上に巻かれたウェブ材には、この段差により不可逆な変形が生じる。そして、その変形したウェブ材に巻き重ねられたウェブ材にも同様の変形が転写するため、巻き始めから数十周以上にわたって、ウェブ材に歪み等の不可逆な段差痕が生じるという問題があった。このような段差痕の発生は、ウェブ材の平坦性を低下させることになり、製品ロスやコストアップの原因になっていた。
【０００４】
このような段差痕の発生を低減させるために、特許文献１には、巻芯の外周面に、緩衝材を設ける技術が開示されている。この技術によれば、ウェブ材の巻き付け端部が、緩衝材内に沈み込むことによって、ウェブ材の厚みによる段差が緩和されるため、段差痕を低減することができる。
【先行技術文献】
【特許文献】
【０００５】
【特許文献１】特開２００５−１６２４３７８号公報
【発明の概要】
【発明が解決しようとする課題】
【０００６】
巻芯に巻き取られたウェブ材は、再度、巻芯から巻き戻されて使用されるが、ウェブ材を両面粘着テープと一緒に巻芯から引き剥がす際、巻芯の外周面に設けられた緩衝材が、両面粘着テープによって損傷を受ける場合がある。この場合、緩衝材の表面が損傷を受けた状態で、巻芯を再利用することができないため、新しい緩衝材に交換する必要がある。
【０００７】
ウェブ材を巻芯から引き剥がす際、緩衝材の表面に損傷を与えないようにするためには、両面粘着テープとして、巻芯に貼り付ける側を弱い粘着層で形成し、ウェブ材に貼り付ける側を強い粘着層で形成することが考えられる。これにより、ウェブ材を両面粘着テープと一緒に、巻芯からスムーズに引き剥がすことができる。その結果、ウェブ材を巻芯から引き剥がす際、緩衝材の表面が損傷を受けるのを抑制することができる。
【０００８】
このとき、両面粘着テープとして、両面の各粘着層にセパレータを設けた両面粘着テープを用いた場合、弱い粘着層側に設けたセパレータの離型力を、強い粘着層側に設けたセパレータの離型力よりも弱くしておく必要がある。これにより、先に、弱い粘着層側に設けたセパレータを剥がして、両面粘着テープの弱い粘着層側を巻芯表面に貼り付け、その後、強い粘着層側に設けたセパレータを剥がして、強い粘着層にウェブ材の先端を貼り付けることができる。
【０００９】
一方、巻芯に貼り付ける側に弱い粘着層、ウェブ材に貼り付ける側に強い粘着層を形成した両面粘着テープを用いた場合、巻芯からウェブ材を巻き戻した際、ウェブ材に両面粘着テープが付着している。そのため、次の処理工程に移送する前に、両面粘着テープが付着したウェブ材の端部を切断する必要があり、余計な手間がかかってしまうという不都合がある。
【００１０】
また、巻芯からウェブ材を巻き戻した際に、両面粘着テープを巻芯側に残して、両面粘着テープを繰り返し使用したいという別の要望もある。
【００１１】
巻芯からウェブ材を巻き戻した際に、巻芯表面に両面粘着テープが残るようにするためには、両面粘着テープとして、巻芯に貼り付ける側を強い粘着層で形成し、ウェブ材に貼り付ける側を弱い粘着層で形成することが考えられる。このとき、両面粘着テープとして、両面の各粘着層にセパレータを設けた両面粘着テープを用いた場合、強い粘着層側に設けたセパレータの離型力を、弱い粘着層側に設けたセパレータの離型力よりも弱くしておく必要がある。これにより、先に、強い粘着層側に設けたセパレータを剥がして、両面粘着テープの強い粘着層側を巻芯表面に貼り付け、その後、弱い粘着層側に設けたセパレータを剥がして、弱い粘着層にウェブ材の先端を貼り付けることができる。
【００１２】
しかしながら、両面の各粘着層にセパレータを設けた両面粘着テープを用いた場合、セパレータは、離型力の弱い方からしか剥がしにくいため、両面粘着テープを、巻芯表面に貼り付ける際、巻芯側に貼り付ける粘着層を、弱い粘着層にするか、強い粘着層にするか、予め決めておかなければならない。然して、両面の各粘着層にセパレータを設けた従来の両面粘着テープにおいて、粘着層のどちら側のセパレータからでも、容易に剥がすことができる両面粘着テープはなかった。
【００１３】
本発明は、上記の点に鑑みなされたもので、その主な目的は、ウェブ材を巻芯に巻き取る際に使用するウェブ材固定用の両面粘着テープにおいて、粘着層のどちら側のセパレータからでも、容易に剥がすことができる両面粘着テープを提供することにある。
【課題を解決するための手段】
【００１４】
本発明に係るウェブ材固定用両面粘着テープは、ウェブ材を巻芯に巻き取る際に使用するウェブ材固定用の両面粘着テープであって、長尺の基材と、基材の第１の面に積層された第１の粘着層及び第１のセパレータと、基材の第２の面に積層された第２の粘着層及び第２のセパレータとを備え、第１のセパレータの第１の粘着層に対する離型力は、第２のセパレータの第２の粘着層に対する離型力よりも小さく、第１のセパレータは、第１の粘着層に対して、幅方向に突出した第１の突出部を有し、第２のセパレータは、第２の粘着層に対して、幅方向に突出した第２の突出部を有し、第２の突出部には、長手方向に沿って、幅方向の易切断性を付与した易切断部が形成されている。
【発明の効果】
【００１５】
本発明によれば、ウェブ材を巻芯に巻き取る際に使用するウェブ材固定用の両面粘着テープにおいて、粘着層のどちら側のセパレータからでも、容易に剥がすことができる両面粘着テープを提供することができる。
【図面の簡単な説明】
【００１６】
【図１】本発明の一実施形態におけるウェブ材固定用の両面粘着テープの構成を模式的に示した図である。
【図２】第１の粘着層側に設けられた第１のセパレータを剥がす手順を示した図である。
【図３】（ａ）、（ｂ）は、第２の粘着層側に設けられた第２のセパレータを剥がす手順を示した図である。
【図４】（ａ）〜（ｄ）は、本実施形態における両面粘着テープを用いて、巻芯にウェブ材を巻き取り、その後、ウェブ材を巻芯から巻き戻す手順を示した図である。
【図５】（ａ）〜（ｄ）は、本実施形態における両面粘着テープを用いて、巻芯にウェブ材を巻き取り、その後、ウェブ材を巻芯から巻き戻す他の手順を示した図である。
【発明を実施するための形態】
【００１７】
以下、本発明の実施形態を図面に基づいて詳細に説明する。なお、本発明は、以下の実施形態に限定されるものではない。また、本発明の効果を奏する範囲を逸脱しない範囲で、適宜変更は可能である。
【００１８】
図１は、本発明の一実施形態におけるウェブ材固定用の両面粘着テープ１の構成を模式的に示した図である。
【００１９】
図１に示すように、本実施形態におけるウェブ材固定用の両面粘着テープ１は、長尺の基材１０と、基材１０の表面（第１の面）に積層された第１の粘着層１１及び第１のセパレータ１２と、基材１０の裏面（第２の面）に積層された第２の粘着層１３及び第２のセパレータ１４とを備えている。すなわち、本実施形態における両面粘着テープ１は、両面の各粘着層１１、１３に、セパレータ１２、１４が設けられた構成をなしている。なお、本実施形態における両面粘着テープ１は、長手方向（Ｘ方向）に長くなっている、通常は、コア６０に巻き取られた格好になっている。
【００２０】
本実施形態において、第１のセパレータ１２の第１の粘着層１１に対する離型力は、第２のセパレータ１４の第２の粘着層１３に対する離型力よりも小さく設定されている。なお、第１及び第２のセパレータ１２、１４の第１及び第２の粘着層１１、１３に対する離型力の差は、例えば、第１及び第２のセパレータ１２、１４の表面に、シリコーン等の離型剤をコーティングする処理条件を変えることによって、付与することができる。
【００２１】
また、図１に示すように、第１のセパレータ１２は、第１の粘着層１１に対して、幅方向（Ｙ方向）に突出した第１の突出部１２ａを有している。すなわち、第１の突出部１２ａの表面には、第１の粘着層１１が形成されていない。
【００２２】
また、第２のセパレータ１４は、第２の粘着層１３に対して、幅方向（Ｙ方向）に突出した第２の突出部１４ａを有している。すなわち、第２の突出部１４ａの表面には、第２の粘着層１３が形成されていない。さらに、第２の突出部１４ａには、長手方向（Ｘ方向）に沿って、幅方向（Ｙ方向）の易切断性を付与した易切断部２０が形成されている、この易切断部２０は、長手方向（Ｘ方向）に沿って連続的に形成されており、任意の位置で、第２のセパレータ１４を、幅方向（Ｙ方向）に沿って容易に切断できるようになっている。なお、易切断部２０は、例えば、第２のセパレータ１４の厚み方向に、複数の微細な溝又は貫通孔を形成することによって設けることができる。
【００２３】
図２は、第１の粘着層１１側に設けられた第１のセパレータ１２を剥がす手順を示した図である。なお、図２に示した両面粘着テープは、コア６０に巻き取られた両面粘着テープを、必要な長さだけ引き出して、幅方向（Ｙ方向）に沿って、カッター等で切断したものである。
【００２４】
本実施形態では、第１のセパレータ１２の第１の粘着層１１に対する離型力が、第２のセパレータ１４の第２の粘着層１３に対する離型力よりも小さく設定されているため、例えば、第１の突出部１２ａを指で摘まんで、長手方向（Ｘ方向）に引っ張ることによって、第１のセパレータ１２を、第１の粘着層１１から容易に剥がすことができる。
【００２５】
一方、図３（ａ）、（ｂ）は、第２の粘着層１３側に設けられた第２のセパレータ１４を剥がす手順を示した図である。なお、図３（ａ）、（ｂ）に示した両面粘着テープは、図２に示した両面粘着テープと同様に、コア６０に巻き取られた両面粘着テープを、必要な長さだけ引き出して、幅方向（Ｙ方向）に沿って、カッター等で切断したものである。
【００２６】
まず、図３（ａ）に示すように、第２の突出部１４ａに形成された易切断部２０を、任意の位置（できるだけ、長手方向（Ｘ方向）の端部近傍が好ましい）で、幅方向（Ｙ方向）に沿って切断する。ここで、易切断部２０は、幅方向（Ｙ方向）に切断容易になっているため、軽い力で、幅方向（Ｙ方向）に切れ目を入れることができる。そして、一旦、幅方向（Ｙ方向）に切れ目が入ると、さらに、幅方向（Ｙ方向）に引っ張ることによって、第２のセパレータ１４の一部１４ｂを、第２の粘着層１３から短冊状に容易に剥がすことができる。
【００２７】
次に、図３（ｂ）に示すように、第２の粘着層１３から剥がされた第２のセパレータ１４の一部１４ｂを指で摘まんで、長手方向（Ｘ方向）に引っ張ることによって、第２のセパレータ１４を、第２の粘着層１３から容易に剥がすことができる。なお、このとき、第２のセパレータ１４の一部１４ｂが剥がれて露出した第２の粘着層１３の表面を、軽く押さえながら行うと、第２のセパレータ１４を、第２の粘着層１３からよりスムーズに剥がすことができる。
【００２８】
このように、本実施形態における両面粘着テープ１は、第１及び第２の粘着層１１、１３に設けた第１及び第２のセパレータ１２、１４を、どちら側からでも、容易に剥がすことができる。これにより両面粘着テープを、巻芯表面に貼り付ける際、巻芯側に貼り付ける粘着層を、弱い粘着層にするか、強い粘着層にするか、予め決めておかなくても、用途に応じて、所望の粘着層側のセパレータを容易に剥がすことができる。
【００２９】
図４（ａ）〜（ｄ）は、本実施形態における両面粘着テープを用いて、巻芯３０にウェブ材５０を巻き取り、その後、ウェブ材５０を巻芯３０から巻き戻す手順を示した図である。なお、ここで使用する両面粘着テープは、第１の粘着層１１の粘着力が、第２の粘着層１３の粘着力よりも小さく設定されている。また、巻芯３０の外周面には、段差痕を低減するための緩衝材４０が形成されている。
【００３０】
図４（ａ）は、図２に示した手順に従って、両面粘着テープの第１のセパレータ１２を、第１の粘着層１１から剥がした後、第１の粘着層１１側を、巻芯３０（緩衝材４０）の表面に貼り付け、その後、第２のセパレータ１４を第２の粘着層１３から剥がした状態を示す。
【００３１】
なお、このとき、第２のセパレータ１４は、第２の粘着層１３に対して、幅方向に突出した第２の突出部１４ａを有しているため、第２の突出部１４ａを摘まんで、第２のセパレータ１４を第２の粘着層１３から剥がすことによって、緩衝材４０の表面が傷つくのを防止することができる。
【００３２】
次に、図４（ｂ）に示すように、第２の粘着層１３に、ウェブ材５０の先端を貼り付けた後、図４（ｃ）に示すように、ウエブ材５０を巻芯３０に巻き取る。このとき、ウェブ材５０の端部は、緩衝材４０の中に沈み込むため、緩衝材４０の外周面と、ウェブ材５０の巻き付け端部との間に、段差が生じない。これにより、ウェブ材５０の端部に起因する段差痕の発生を抑制することができる。
【００３３】
次に、図４（ｄ）に示すように、巻芯３０に巻き取られたウェブ材５０を、再度、巻芯３０から巻き戻す。このとき、第１の粘着層１１の粘着力は、第２の粘着層１３の粘着力よりも小さく設定されているため、ウェブ材５０に両面粘着テープ（１１、１０、１３）が付着した状態で、ウェブ材５０を巻芯３０からスムーズに引き剥がすことができる。その結果、ウェブ材５０を巻芯３０から引き剥がす際、緩衝材４０の表面が損傷を受けるのを抑制することができる。
【００３４】
図５（ａ）〜（ｄ）は、上記と同じ両面粘着テープ用いて、巻芯３０にウェブ材５０を巻き取り、その後、ウェブ材５０を巻芯３０から巻き戻す他の手順を示した図である。なお、ここでは、巻芯３０の外周面に、段差痕を低減するための緩衝材を設けていない。
【００３５】
図５（ａ）は、図３に示した手順に従って、両面粘着テープの第２のセパレータ１４を、第２の粘着層１３から剥がした後、第２の粘着層１３側を、巻芯３０の表面に貼り付け、その後、第１のセパレータ１２を第２の粘着層１３から剥がした状態を示している。
【００３６】
なお、このとき、第１のセパレータ１２は、第１の粘着層１１に対して、幅方向に突出した第１の突出部１２ａを有しているため、第１の突出部１２ａを摘まんで、第１のセパレータ１２を第１の粘着層１１から剥がすことによって、巻芯３０の表面が傷つくのを防止することができる。
【００３７】
次に、図５（ｂ）に示すように、第１の粘着層１１に、ウェブ材５０の先端を貼り付けた後、図５（ｃ）に示すように、ウェブ材５０を巻芯３０に巻き取る。
【００３８】
次に、図５（ｄ）に示すように、巻芯３０に巻き取られたウェブ材５０を、再度、巻芯３０から巻き戻す。このとき、第１の粘着層１１の粘着力は、第２の粘着層１３の粘着力よりも小さく設定されているため、ウェブ材５０を巻芯３０から引き剥がした際、両面粘着テープ（１１、１０、１３）は、巻芯３０側に残る。これにより、両面粘着テープ（１１、１０、１３）を繰り返し使用することができる。
【００３９】
なお、本実施形態において、基材１０の材料は特に限定されないが、例えば、ＰＥＴフィルム、ポリプロピレンフィルム、ポリイミドフィルム等を用いることができる。
【００４０】
また、本実施形態において、第１の粘着層１１及び第２の粘着層１３の材料は特に限定されないが、例えば、アクリル系粘着剤や、ウレタン系粘着剤等を用いることができる。また、粘着力の調整は、モノマーの種類、ポリマーの分子量、架橋密度などを制御することにより行うことができる。
【００４１】
また、本実施形態において、第１のセパレータ１２及び第２のセパレータ１４の材料は特に限定されないが、例えば、ＰＥＴフィルム、ポリプロピレンフィルム、ポリエチレンフィルム等を用いることができる。
【００４２】
また、本実施形態において、両面粘着テープ１の総厚みは特に限定されないが、両面粘着テープ１による段差を抑制するために、総厚みを２０μｍ以下にすることが好ましく、１０μｍ以下にすることがより好ましい。
【００４３】
以上、本発明を好適な実施形態により説明してきたが、こうした記述は限定事項ではなく、もちろん、種々の改変が可能である。例えば、上記実施形態では、第１のセパレータ１２の第１の粘着層１１に対する離型力を、第２のセパレータ１４の第２の粘着層１３に対する離型力よりも小さく設定したが、両者の離型力が同じであってもよい。この場合、第１の粘着層１１の粘着力を、第２の粘着層１３の粘着力よりも小さく設定しておくことによって、実質的に、第１のセパレータ１２の第１の粘着層１１に対する離型力を、第２のセパレータ１４の第２の粘着層１３に対する離型力よりも小さくすることができる。
【００４４】
また、上記実施形態では、両面粘着テープを、ウェブ材を巻芯に巻き取る際のウェブ材固定用に使用したが、これに限定されず、両面の各粘着層にセパレータが設けられた粘着テープにおいて、用途に応じて、所望の粘着層側のセパレータを選択的に剥がして使用するものにも適用することができる。
【符号の説明】
【００４５】
１        両面粘着テープ 
１０      基材 
１１      第１の粘着層 
１２      第１のセパレータ 
１２ａ    第１の突出部 
１３      第２の粘着層 
１４      第２のセパレータ 
１４ａ    第２の突出部 
２０      易切断部 
３０      巻芯 
４０      緩衝材 
５０      ウェブ材
【図１】
2019031588.tif 000003
【図２】
2019031588.tif 000004
【図３】
2019031588.tif 000005
【図４】
2019031588.tif 000006
【図５】
2019031588.tif 000007